(57)【特許請求の範囲】
【請求項１】
筐体本体に回動自在に取付けられた扉と、
該扉を閉位置で鎖錠する鎖錠部とを備えた電気機器収納用箱であって、
前記鎖錠部を隠蔽する鎖錠部カバーを、該鎖錠部が設けられた扉の全高に亘って設けたことを特徴とする電気機器収納用箱。
【請求項２】
前記鎖錠部カバーは、
前記筐体本体の側面と略平行に配置されるカバー側面部と、
前記扉の表面と略平行に配置されるカバー前面部とを有することを特徴とする請求項１記載の電気機器収納用箱。
【請求項３】
前記カバー側面部に凹部を形成するとともに、
該凹部内には、前記鎖錠部カバーを前記筐体本体または前記扉に固定する固定部を設けたことを特徴とする請求項２記載の電気機器収納用箱。
【請求項４】
前記筐体本体は、前記扉を回動自在に支持するヒンジを、前記鎖錠部と左右反対側に備えるものとし、
該ヒンジ側を隠蔽するヒンジ側カバーを、前記鎖錠部カバーと左右対称位置に設けたことを特徴とする請求項１記載の電気機器収納用箱。
【請求項５】
前記ヒンジ側カバーを前記扉に固定する固定具を、前記扉の裏面側に設けたことを特徴とする請求項４記載の電気機器収納用箱。
【発明の詳細な説明】
【技術分野】
【０００１】
本発明は、電気機器収納用箱に関するものである。
【背景技術】
【０００２】
デジタルサイネージや制御盤等の電気機器収納用箱の前面側には、扉が回動自在に取付けられている。また、内部機器等の点検時以外に扉が開閉されることを防止するために、扉は鎖錠装置が組み込まれたハンドルやネジ等（以下、鎖錠部）により鎖錠されていることが通常である（特許文献１）。
【０００３】
しかしながら、上記の従来技術では、鎖錠部が突出していたり、また鎖錠部が露出していたため、鎖錠部が第三者に視認されてしまい、不都合であるという問題があった。
【先行技術文献】
【特許文献】
【０００４】
【特許文献１】特開２０１０−１０９２１０号公報
【発明の概要】
【発明が解決しようとする課題】
【０００５】
本発明の目的は前記した従来の問題点を解決し、鎖錠部が外部から視認不能となる電気機器収納用箱を提供することである。
【課題を解決するための手段】
【０００６】
上記課題を解決するためになされた本発明は、筐体本体に回動自在に取付けられた扉と、該扉を閉位置で鎖錠する鎖錠部とを備えた電気機器収納用箱であって、前記鎖錠部を隠蔽する鎖錠部カバーを、該鎖錠部が設けられた扉の全高に亘って設けたことを特徴とするものである。
【０００７】
請求項２記載の発明は、請求項１記載の電気機器収納用箱において、前記鎖錠部カバーは、前記筐体本体の側面と略平行に配置されるカバー側面部と、前記扉の表面と略平行に配置されるカバー前面部とを有することを特徴とするものである。
【０００８】
請求項３記載の発明は、請求項２記載の電気機器収納用箱において、前記カバー側面部に凹部を形成するとともに、該凹部内には、前記鎖錠部カバーを前記筐体本体または前記扉に固定する固定部を設けたことを特徴とするものである。
【０００９】
請求項４記載の発明は、請求項１記載の電気機器収納用箱において、前記筐体本体は、前記扉を回動自在に支持するヒンジを、前記鎖錠部と左右反対側に備えるものとし、該ヒンジを隠蔽するヒンジ側カバーを、前記鎖錠部カバーと左右対称位置に設けたことを特徴とするものである。
【００１０】
請求項５記載の発明は、請求項４記載の電気機器収納用箱において、前記ヒンジ側カバーを前記扉に固定する固定具を、前記扉の裏面側に設けたことを特徴とするものである。
【発明の効果】
【００１１】
本発明に係る電気機器収納用箱は、鎖錠部を隠蔽する鎖錠部カバーを、この鎖錠部が設けられた扉の全高に亘って設けるものとした。これにより、鎖錠部が外部から視認不能となり、扉の存在が第三者に認識され難くなり、悪戯を防止することができる。また、鎖錠部が被覆されるため、意匠性が向上する。
【００１２】
請求項２に係る発明によれば、鎖錠部カバーは、筐体本体の側面と略平行に配置されるカバー側面部と、扉の表面と略平行に配置されるカバー前面部とを有するものとした。これにより、鎖錠部カバーを筐体本体及び扉と一体性をもって取付けることができ、意匠性が向上する。
【００１３】
請求項３に係る発明によれば、カバー側面部に凹部を形成するとともに、凹部内には、鎖錠部カバーを筐体本体または扉に固定する固定部を設けるものとした。これにより、筐体本体を前方から見た際に、固定部が隠蔽されることとなり、意匠性が向上する。
【００１４】
請求項４に係る発明によれば、筐体本体は、扉を回動自在に支持するヒンジを、鎖錠部と左右反対側に備えるものとし、このヒンジを隠蔽するヒンジ側カバーを、鎖錠部カバーと左右対称位置に設けるものとした。これにより、ヒンジ側カバーと鎖錠部カバーとが左右対称となる位置に配置され、より意匠性が高いものとなる。
【００１５】
請求項５に係る発明によれば、ヒンジ側カバーを扉に固定する固定具を、扉の裏面側に設けるものとしたことで、この固定具が外部から視認不能となるため、意匠性がより向上する。
【図面の簡単な説明】
【００１６】
【図１】本実施形態の全体を示す斜視図である。
【図２】本実施形態の全体を示す分解斜視図である。
【図３】本実施形態の要部を示す分解斜視図である。
【図４】本実施形態の要部を示す断面図である。
【図５】鎖錠部カバー取付状態を示す斜視図である。
【図６】鎖錠部カバーの裏面側を示す分解斜視図である。
【図７】ヒンジ側カバーの裏面側を示す分解斜視図である。
【図８】ヒンジ側カバーの取付箇所を示す断面図である。
【発明を実施するための形態】
【００１７】
以下に本発明の好ましい実施形態を示す。
なお、前後方向、左右方向とは、図１に示す方向を指すものとする。デジタルサイネージ、制御盤、分電盤、充電器等の電気機器収納用箱は、図１のように、筐体本体１と、筐体本体１に回動自在に取付けられた扉２とからなる。なお、扉２は、図７に示すヒンジ３を用いて、筐体本体１の前面側に回動自在に取付けられており、図示しないが扉２の前面には扉２を開けずに操作可能な操作部が設けられている。さらに、ヒンジ３の反対側（図２における左側）には、扉２を閉位置で鎖錠するための鎖錠部４が設けられている。本実施形態においては、図３及び図４のように、略コ字状に形成された鎖錠金具５と、扉２に形成された鎖錠辺６とを当接させた状態で、前面側からネジ７により両者を固定するものとし、これによって扉２を筐体本体１に鎖錠する鎖錠部４を構成するものとした。なお、鎖錠金具５及び鎖錠辺６には、ネジ７挿通して固定するための図示しない固定孔を形成するものとした。
【００１８】
以上のように、ネジ７を用いて鎖錠するものとすれば、省スペースで鎖錠可能となり、後述する鎖錠部カバー１０の側面方向及び前面方向へのネジ７の突出量を抑えることができる。
また、鎖錠部４は扉２の前面よりも後方に凹んだ位置に設けられるものとしたことで、後述する鎖錠部カバー１０の前面方向へのネジ７の突出量をさらに抑えることができるので、ネジ７が鎖錠部カバー１０に干渉することを防ぐことができる。なお、点検時にのみ扉２を開閉するなど、扉２を開ける頻度が少ない場合には、本実施形態のようにネジ７を用いることが好ましいが、扉２の開閉頻度に応じてハンドルやラッチにより鎖錠するものとしても良い。
【００１９】
図２のように、電気機器収納用箱のコーナ部８（鎖錠部４を含む、筐体本体１と扉２とが当接している箇所）には、鎖錠部４が設けられた扉２の全高さ方向に亘って（以後、全高という）、前記鎖錠部４を隠蔽する鎖錠部カバー１０を設けるものとした。
また、図３及び図４のように、鎖錠部カバー１０は、筐体本体１の側面と略平行に配置されるカバー側面部１０ａと、扉２の表面と略平行に配置されるカバー前面部１０ｂとを有している。そして、カバー側面部１０ａには、凹部１１を形成するものとし、この凹部１１には、鎖錠部カバー１０を扉２に対して側面から固定するための固定部を設けるものとした。この固定部は、ネジ１２と、このネジ１２を挿通する固定孔１３とからなるものである。そして、扉２の鎖錠部４側には、鎖錠部カバー１０を固定するための固定金具１４を設けるものとし、さらに固定金具１４の側面には、ネジ孔１５を形成するものとした。この固定金具１４は、後述する筐体本体１の水切部９の外側に位置しているため、固定孔１３から筐体本体１内への水が浸入する恐れがない。したがって、ネジ１２が固定孔１３を挿通して、さらに固定金具１４のネジ孔１５に固定されることで、鎖錠部カバー１０が扉２に固定されることとなる。なお、固定金具１４は筐体本体１に取付けて、鎖錠部カバー１０を筐体本体１に固定する構成としても良い。
【００２０】
以上のような構成とすることにより、図５のように鎖錠部カバー１０により鎖錠部４が外部から視認不能となり、扉２の存在が第三者に認識され難くなり、悪戯を防止することができる。また、鎖錠部４が被覆されるため、意匠性が向上する。また、鎖錠部カバー１０は、カバー側面部１０ａとカバー前面部１０ｂとを有するものとしたことにより、鎖錠部カバー１０を筐体本体１及び扉２と一体性をもって取付けることができ、意匠性が向上する。さらに、カバー側面部１０ａに凹部１１を形成した上で、ネジ１２と固定孔１３により鎖錠部カバー１０を扉２に対して側面から固定するものとしたことで、筐体本体１を前方から見た際に、ネジ１２及び固定孔１３が隠蔽されることとなり、意匠性が向上する。また、鎖錠部カバー１０の外側にネジ１２がはみ出すことがないため、ネジ１２に異物や人の手が引っ掛かることがなくなり、さらに、複数の電気機器収納用箱を隙間なく併設することも可能となる。なお、本実施形態では、ネジ１２を用いて鎖錠部カバー１０を固定するものとしたが、その他にもツールレスで固定可能なラッチ固定であっても良い。
【００２１】
図２に示す電気機器収納用箱のコーナ部８においては、図４のように、筐体本体１の側面から、筐体本体１の内側方向に向かって断面略コ字状に形成された水切部９が設けられている。そして、鎖錠金具５は、この水切部９に対応する位置に設けるものとして、水が浸入する恐れをなくした。なお、水切部９を形成せずに鎖錠金具５のみを設けるものとしても良く、また鎖錠部は、本実施形態のように、鎖錠金具５と鎖錠辺６とネジ７とにより構成されるものに限定されず、扉２を筐体本体１に鎖錠するものであれば良い。
【００２２】
図４のように、固定金具１４の前面と扉２の前面とが同一平面上に位置するよう配置することが好ましく、これにより鎖錠部カバー１０を固定金具１４の前面と扉２の前面とに当接させることで、鎖錠部カバー１０を安定して保持することが可能となる。
また、鎖錠部カバー１０はコーナ部８のみならず、例えば鎖錠部４として鎖錠装置を備えたハンドルが、扉２前面に設けている場合には、このハンドルを覆うように扉２の前面のみに取付けるものとしても良い。
さらに、鎖錠部カバー１０のカバー側面部１０ａ、及び後述するヒンジ側カバー２１の側面を、筐体本体１の側面まで延設しても良く、これにより筐体本体１と鎖錠部カバー１０との隙間、及び筐体本体１とヒンジ側カバー２１との隙間を埋め、扉２の存在を認識し難くすると同時に、意匠性を向上させることもできる。
【００２３】
図６のように、鎖錠部カバー１０は、外カバー１６と内カバー１７とからなるものとした。詳しくは、外カバー１６の裏面側に内カバー１７を位置させて、ネジ１８を、固定孔１９を介して外カバー１６に設けたナット２０に固定することで、両者を固定するものとした。また、外カバー１６の側面を一部切欠き、さらに内カバー１７の一部を筐体本体１の内側方向に凹ませることで、凹部１１を形成するものとした。なお、外カバー１６と内カバー１７は、扉２の全高に亘って形成されるものとしたが、内カバー１７は、鎖錠部カバー１０を扉２に固定する箇所にのみ形成するものとしても良い。さらには、外カバー１６と内カバー１７とを一体形成して、凹部１１を備えた鎖錠部カバー１０としても差し支えない。
【００２４】
図７及び図８のように、扉２を回動自在に支持するヒンジ３は、前面側から見て鎖錠部４と左右反対側に設けられており、さらに、コーナ部８の左右対称部分であるこのヒンジ３側を隠蔽する、鎖錠部カバー１０の外カバー１６と同形状のヒンジ側カバー２１を、鎖錠部カバー１０と左右対称位置に、扉２の全高に亘って設けるものとした。これにより、扉２のヒンジ３側が被覆されて意匠性が向上するとともに、ヒンジ側カバー２１と鎖錠部カバー１０とが左右対称となる位置に配置されることとなり、より意匠性が高いものとなる。
【００２５】
図７のように、ヒンジ側カバー２１の裏面側にはナット２２を設け、扉２には、このナット２２に対応する位置に固定孔２３を形成するものとし、固定具であるネジ２４が、扉２の裏面側から固定孔２３を挿通して、ナット２２に固定される構成とした。これにより、ヒンジ側カバー２１が扉２に固定されると同時に、ネジ２４が外部から視認不能となるため、意匠性がより向上する。なお、固定具はネジ２４のほか、ツールレスで固定可能なラッチであっても良い。また、図８のように、ネジ２４の固定位置は水切部９の外側とすることが好ましく、これによりネジ２４固定位置からの水が浸入する恐れをなくすことができる。
【符号の説明】
【００２６】
１  筐体本体
２  扉
３  ヒンジ
４  鎖錠部
５  鎖錠金具
６  鎖錠辺
７  ネジ
８  コーナ部
９  水切部
１０  鎖錠部カバー
１０ａ  カバー側面部
１０ｂ  カバー前面部
１１  凹部
１２  ネジ
１３  固定孔
１４  固定金具
１５  ネジ孔
１６  外カバー
１７  内カバー
１８  ネジ
１９  固定孔
２０  ナット
２１  ヒンジ側カバー
２２  ナット
２３  固定孔
２４  ネジ
【図１】
0006316147.tif 000002
【図２】
0006316147.tif 000003
【図３】
0006316147.tif 000004
【図４】
0006316147.tif 000005
【図５】
0006316147.tif 000006
【図６】
0006316147.tif 000007
【図７】
0006316147.tif 000008
【図８】
0006316147.tif 000009